(57)【要約】【課題】防水コネクタの小型軽量化を図ること。【解決手段】防水コネクタ１は、プラグコネクタハウジング２０が挿入される挿入部１１を有するレセプタクルコネクタハウジング１０と、挿入部１１内に配置されるシール部材１２と、シール部材１２を挿入部１１内に固定するストッパ３０とを備える。挿入部１１の側壁１１ａには、ストッパ３０を挿入部１１の外側（側方）から挿入可能な貫通孔１１ｂが形成され、ストッパ３０を挿入部１１に取り付けた際に、ストッパ３０の係止片３２の先端部が挿入部１１内に突出する。シール部材１２は、このストッパ３０の係止片３２の先端部と挿入部１１の内周面１３とによって挿入部１１内に固定される。【選択図】図１
2010277744.tif 000002
【特許請求の範囲】
【請求項１】
プラグコネクタハウジングが挿入される挿入部、および該挿入部を構成する側壁に形成された貫通孔を有するレセプタクルコネクタハウジングと、
前記挿入部内に配置され、該挿入部に挿入された前記プラグコネクタハウジングの挿入部分の外周面と前記側壁の内周面とを液密にシールするシール部材と、
外側から前記貫通孔に挿入され、先端部分が前記挿入部内に突出した状態で係止され、その突出された先端部分によって前記シール部材を前記挿入部内に固定するストッパと、を備えている
ことを特徴とする防水コネクタ。
【請求項２】
前記ストッパは、前記貫通孔の開口周縁部に係合する係合凸部が形成された係止片を有し、
前記シール部材は、前記側壁の内周面と前記係止片の先端部分とにより前記挿入部内に固定される
ことを特徴とする請求項１記載の防水コネクタ。
【請求項３】
前記ストッパは、前記貫通孔の開口周縁部に係合する係合凸部が形成された係止片および前記シール部材と当接する固定片を有し、
前記シール部材は、前記側壁の内周面と前記固定片の先端部分とにより前記挿入部内に固定される
ことを特徴とする請求項１記載の防水コネクタ。
【発明の詳細な説明】
【技術分野】
【０００１】
この発明は、防水コネクタに関し、特に小型軽量化を図ることができる防水コネクタに関する。
【背景技術】
【０００２】
防水機能を有する防水コネクタとして、防水コネクタの誤結防止構造（例えば、特許文献１（第１頁、第１−２図）参照）が知られている。この誤結防止構造は、例えば図５に示すように、図示しない挿入側コネクタハウジング（プラグコネクタハウジング）の嵌入筒部を受け入れる被挿入側コネクタハウジング（レセプタクルコネクタハウジング）１００の嵌入口部１０１内に配置される係止環（ストッパ）１０２を備える。
【０００３】
嵌入口部１０１の奥には、ハウジングシール（シール部材）１０９が配置され、このシール部材１０９はストッパ１０２の端部で嵌入口部１０１内に押さえられ固定される。そして、ストッパ１０２は、その係止部１０３が嵌入口部１０１に形成された係止孔部１０４に係合することにより、嵌入口部１０１内に固定される。このストッパ１０２内側の嵌合部１０５に上記プラグコネクタハウジングが挿入され、シール部材１０９によりシールされる。
【０００４】
また、同様な構造のものとして、図６に示すようなレセプタクルコネクタハウジング１００Ａも知られている。このレセプタクルコネクタハウジング１００Ａも、嵌入口部１０１の奥の段部１０８内に配置されたシール部材１０９を、ストッパ１０２の端部で押さえることにより固定している。
【先行技術文献】
【特許文献】
【０００５】
【特許文献１】実開昭６２−１０９３７０号公報
【発明の概要】
【発明が解決しようとする課題】
【０００６】
しかしながら、上述した特許文献１に開示されている誤結防止構造等では、図５および図６に示すように、シール部材１０９をストッパ１０２の端部で押さえるとともに、このストッパ１０２に嵌合を行うための嵌合部１０５が形成されている。このように、正確な嵌合機能と防水機能とを両立させるためには、別途ストッパ１０２が必要となるとともに、シール部材１０９の端面１０６から嵌合部１０５の開口端１０７までの長さＬ１が必要となる。このため、コネクタの小型化や軽量化が図りにくいという問題がある。
【０００７】
この発明は、上述した従来技術による問題点を解消するため、小型軽量化を図ることができる防水コネクタを提供することを目的とする。
【課題を解決するための手段】
【０００８】
上述した課題を解決し、目的を達成するため、この発明にかかる防水コネクタは、プラグコネクタハウジングが挿入される挿入部、および該挿入部を構成する側壁に形成された貫通孔を有するレセプタクルコネクタハウジングと、前記挿入部内に配置され、該挿入部に挿入された前記プラグコネクタハウジングの挿入部分の外周面と前記側壁の内周面とを液密にシールするシール部材と、外側から前記貫通孔に挿入され、先端部分が前記挿入部内に突出した状態で係止され、その突出された先端部分によって前記シール部材を前記挿入部内に固定するストッパと、を備えていることを特徴とする。
【０００９】
前記ストッパは、例えば前記貫通孔の開口周縁部に係合する係合凸部が形成された係止片を有し、前記シール部材は、例えば前記側壁の内周面と前記係止片の先端部分とにより前記挿入部内に固定される。
【００１０】
また、前記ストッパは、例えば前記貫通孔の開口周縁部に係合する係合凸部が形成された係止片および前記シール部材と当接する固定片を有し、前記シール部材は、例えば前記側壁の内周面と前記固定片の先端部分とにより前記挿入部内に固定される。
【発明の効果】
【００１１】
この発明によれば、小型軽量化を図ることができる防水コネクタを提供することができる。
【図面の簡単な説明】
【００１２】
【図１】本発明の一実施形態にかかる防水コネクタの例を示す説明図である。
【図２】図１のＡ矢視図である。
【図３】同防水コネクタの嵌合構造を説明するための説明図である。
【図４】同防水コネクタの他の例を示す説明図である。
【図５】従来の防水コネクタを説明するための説明図である。
【図６】従来の防水コネクタを説明するための説明図である。
【発明を実施するための形態】
【００１３】
以下に、添付の図面を参照して、この発明にかかる防水コネクタの好適な実施の形態を詳細に説明する。
【００１４】
図１は、本発明の一実施形態にかかる防水コネクタの例を示す説明図、図２は図１のＡ矢視図、図３は同防水コネクタの嵌合構造を説明するための説明図である。図１〜図３に示すように、防水コネクタ１は、挿入側のコネクタハウジング（プラグコネクタハウジング、以下同じ。）２０（図３参照）が挿入される凹状の挿入部１１を有する被挿入側のコネクタハウジング（レセプタクルコネクタハウジング、以下同じ。）１０を備える。
【００１５】
このレセプタクルコネクタハウジング１０は、プラグコネクタハウジング２０とともに例えば樹脂成形部材からなり、上述した挿入部１１と、この挿入部１１内に配置される防水のためのシール部材１２とを有する。シール部材１２は、例えば弾性ゴムやエラストマからなり、表面が蛇腹状に形成されてその外周面が挿入部１１の側壁１１ａの内周面１３に密着するとともに、その内周面がプラグコネクタハウジング２０の挿入先端部２１の外周面に密着する環状部材からなる。したがって、このシール部材１２は、両コネクタハウジング１０，２０の完全挿入時に挿入部１１内でこれらを液密にシールして接続端子２９を水密に接続する。
【００１６】
また、レセプタクルコネクタハウジング１０の挿入部１１の側壁１１ａには、配置されたシール部材１２の端面１２ａと内周面１３の一部が連続し、挿入部１１の内外部を連通してシール部材１２を挿入部１１内に固定するためのストッパ３０が、挿入部１１の外側（側方）から挿入される貫通孔１１ｂが複数形成されている。
【００１７】
ストッパ３０は、両コネクタハウジング１０，２０と同様に例えば樹脂成形部材からなり、挿入部１１の側壁１１ａの外周面に沿って取り付けられる本体部３３と、この本体部３３から突設されて側壁１１ａの貫通孔１１ｂの開口周縁部１１ｃに係合する係合凸部３１が形成された複数の係止片３２とを有する。
【００１８】
そして、これら複数の係止片３２の先端部は、ストッパ３０がレセプタクルコネクタハウジング１０に取り付けられた際に、挿入部１１内に突出するように構成されている。このため、シール部材１２は、本例では挿入部１１の内周面１３と係止片３２の先端部とによって、挿入部１１内に固定される。
【００１９】
これにより、シール材１２の挿入部１１の内部からの脱落を確実に防止することができるとともに、プラグコネクタハウジング２０を挿入部１１内に完全挿入したときに、挿入部１１内に固定されたシール部材１２によって、両コネクタハウジング１０，２０は液密にシールされる。
【００２０】
したがって、従来の防水コネクタのように、挿入部１１内に両コネクタハウジング１０，２０の挿入方向からストッパ３０を挿入して配置する必要がなく、レセプタクルコネクタハウジング１０のシール部材１２の端面１２ａから挿入部１１の開口端１５までの長さを短く構成することが可能となる。
【００２１】
また、このように挿入部１１内に挿入方向から挿入されるストッパを配置する必要がなく、側壁１１ａにストッパ３０を取り付ける構造であるため、挿入部１１の開口径も従来のものより小さくすることが可能となる。このため、本実施形態にかかる防水コネクタ１は、従来のものと比較して全体の小型軽量化を図ることが可能となる。
【００２２】
なお、レセプタクルコネクタハウジング１０に配置されるシール部材１２は、挿入部１１にストッパ３０を取り付けてから開口端１５側から挿入部１１内に挿入配置されて固定されてもよいし、あらかじめ挿入部１１内に挿入配置されてからストッパ３０を挿入部１１に取り付けることにより固定されてもよい。
【００２３】
また、挿入部１１の貫通孔１１ｂやストッパ３０の係止片３２は複数形成されているとしたが、少なくとも一つ設けられていればよい。さらに、両コネクタハウジング１０，２０のうちの少なくとも一方が電子機器等のケースなどの接続部に一体的に設けられていれば、電子機器等の防水コネクタとして用いることもできる。
【００２４】
図４は、本発明の一実施形態にかかる防水コネクタの他の例を示す説明図である。なお、以降において、既に説明した部分と重複する箇所には同一の符号を付して説明を省略する。図４に示すように、本例の防水コネクタ１は、レセプタクルコネクタハウジング１０Ａおよびストッパ３０Ａの一部の構造が先の例とは相違している。
【００２５】
すなわち、レセプタクルコネクタハウジング１０Ａの挿入部１１には、上述した貫通孔１１ｂの他に、ストッパ３０Ａの固定片３４の先端部を挿入部１１内に挿通可能にする挿通孔１１ｄが形成されている。また、ストッパ３０Ａには、上述した係止片３２の他に、本体部３３から突設する固定片３４が設けられている。
【００２６】
このレセプタクルコネクタハウジング１０Ａでは、挿入部１１内に配置されたシール材１２が、ストッパ３０Ａの内周面１３と固定片３４の先端部とにより、上記と同様に固定されている。このように、上記ストッパ３０，３０Ａは、係止片３２や固定片３４が挿入部１１内のシール部材１２と当接するように構成される。これにより、上記レセプタクルコネクタハウジング１０およびストッパ３０の場合と同様に、防水コネクタ１全体の小型軽量化を図ることができる。
【符号の説明】
【００２７】
１      防水コネクタ
１０    レセプタクルコネクタハウジング
１０Ａ  レセプタクルコネクタハウジング
１１    挿入部
１１ａ  側壁
１１ｂ  貫通孔
１１ｃ  開口周縁部
１１ｄ  挿通孔
１２    シール部材
１２ａ  端面
１３    内周面
１５    開口端
２０    プラグコネクタハウジング
２１    挿入先端部
２９    接続端子
３０    ストッパ
３０Ａ  ストッパ
３１    係合凸部
３２    係止片
３３    本体部
３４    固定片
【図１】
2010277744.tif 000003
【図２】
2010277744.tif 000004
【図３】
2010277744.tif 000005
【図４】
2010277744.tif 000006
【図５】
2010277744.tif 000007
【図６】
2010277744.tif 000008